(57)【要約】【課題】清掃体使用後に容易に清掃体の未使用面を使用できる状態にすることができる掃除具を提供する。【解決手段】掃除具１は、平板状の本体３と、本体３の略中央に取付けられた接続部９に着脱可能及び３６０°傾斜可能に取付けられた把手２と、本体３の一部を構成すると共に本体３に回転可能に取付けられた取付け部本体４と、取り付け部本体４の側面や本体３の上面に設けられた、スリットを形成する可撓性の複数の片部からなる取付け部５と、取付け部本体４を回転可能状態としたり固定状態にしたりする固定部６と、スリットに押し込まれて取付け部に取付けられた不織布シート７と、把手２が取付けられた面に対向する本体の面や取付け部本体４の両面に取付けられた発泡ウレタン８によって構成されている。【選択図】図１
2007105160.tif 000002
【特許請求の範囲】
【請求項１】
把手と、該把手の一端に取り付けられた本体と、該本体に取付けられた、清掃体が取付けられる取付け部とを備えた掃除具であって、
前記取付け部は可動するものである
掃除具。
【請求項２】
前記取付け部は、前記本体に対して回転可能に取付けられている
請求項１に記載の掃除具。
【請求項３】
前記取付け部は、前記本体の側面に取付けられていると共に、前記本体の厚みよりも小さい厚みを有する
請求項２に記載の掃除具。
【請求項４】
前記取付け部に支持部材が取付けられていると共に、該支持部材が接続点を中心に移動可能に前記本体に接続されている
請求項１に記載の掃除具。
【請求項５】
前記取付け部は、前記本体に着脱可能に取付けられている
請求項１に記載の掃除具。
【請求項６】
前記取付け部は、前記本体の一方の側面及び他方の側面に取付けられていると共に、前記本体の一方の側面に取付けられた取付け部と前記本体の他方の側面に取付けられた取付け部とが接続されている
請求項５に記載の掃除具。
【請求項７】
前記取付け部は、前記本体の上面に滑走可能に取付けられている
請求項１に記載の掃除具。
【請求項８】
前記取付け部は、前記把手に対して回転可能に取付けられている
請求項１に記載の掃除具。
【発明の詳細な説明】
【技術分野】
【０００１】
本発明は掃除具に関する。詳しくは、使用後に清掃体の未使用面を使用すべく清掃体を裏返す作業を容易に行なえる掃除具に係るものである。
【背景技術】
【０００２】
従来、室内掃除用の掃除具として、掃除機よりも静かであると共に手軽に掃除ができ、そして、雑巾のように水を使わずに使用できる乾式の不織布製や、ウェットシートや、つや出しシートといった清掃体を使用した様々な掃除具が提案されている。
【０００３】
例えば特許文献１には、清掃シート１０１が装着可能である平坦な清掃部１０３と、清掃部１０３に設けられた放射状のスリットを形成する可撓性の複数の片部１０６によって固定されて床の清掃に用いられる清掃シート１０１と、清掃部１０３と自在継手１０５を介して連結した棒状の把手１０４とを具備した掃除具１０２が開示されている。このような構成により、髪の毛や綿ボコリの捕集性がよい清掃シートを備えた掃除具を提供している。従来の掃除具の概略図を図２６に示す。
【０００４】
【特許文献１】特開２００１−２６９３００号公報
【発明の開示】
【発明が解決しようとする課題】
【０００５】
しかしながら、従来の掃除具は、清掃シートを使用した後に、汚れていない清掃シートの未使用面を使用すべく清掃シートを裏返そうとする場合、複数の片部から清掃シートを全て取外さなければならず、面倒であると共に手が汚れやすいといった問題があった。
【０００６】
本発明は、以上の点に鑑みて創案されたものであり、清掃体使用後に容易に清掃体の未使用面を使用できる状態にすることができる掃除具を提供することを目的とするものである。
【課題を解決するための手段】
【０００７】
上記の目的を達成するために、本発明の掃除具は、把手と、該把手の一端に取り付けられた本体と、該本体に取付けられた、清掃体が取付けられる取付け部とを備えた掃除具であって、前記取付け部は可動するものである。
【０００８】
ここで、清掃体が取付けられる取付け部が可動することによって、取付け部から清掃体を完全に取外さなくても清掃体を裏返すことができる。なお、ここでいう「取付け部」は、清掃体が直接取付けられるもの自体のみならず、これが他の部材に設けられて一体となっているものも含む。
【０００９】
また、本発明の掃除具において、取付け部が、本体に対して回転可能に取付けられている場合、清掃体を取付け部に取付けたまま取付け部を回転させるだけで清掃体を裏返すことができる。
【００１０】
また、取付け部が本体に対して回転可能に取付けられている本発明の掃除具において、取付け部が、本体の側面に取付けられて本体に対して回転可能に取付けられていると共に、本体の厚みよりも小さい厚みを有する場合、取付け部は、清掃体が装着されて床等と接触する面である清掃面として使用されないので、取付け部が汚れにくくなると共に、床面に接する弾性部材を必要としない。
【００１１】
また、本発明の掃除具において、取付け部に支持部材が取付けられていると共に、支持部材が接続点を中心に移動可能に本体に接続されている場合、清掃体を取付け部に取付けたまま取付け部を一方の側面から対向する他方の側面へ移動させるだけで清掃体を裏返すことができる。
【００１２】
また、本発明の掃除具において、取付け部が、本体に着脱可能に取付けられている場合、清掃体を取付け部に取付けたまま取付け部を本体に付け直すだけで清掃体を裏返すことができる。
【００１３】
また、取付け部が本体に着脱可能に取付けられている本発明の掃除具において、取付け部が、本体の一方の側面及び他方の側面に取付けられていると共に、本体の一方の側面に取付けられた取付け部と本体の他方の側面に取付けられた取付け部とが接続されている場合、清掃体を取付け部から取り外さずに取付け部を本体から取り外して、取付け部を本体に付け直すだけで清掃体を裏返すことができる。
【００１４】
また、本発明の掃除具において、取付け部が、本体の上面に滑走可能に取付けられている場合、清掃体の少なくとも一部を取付け部に取付けたまま取付け部を滑走させることで清掃体を裏返すことができる。
【００１５】
また、本発明の掃除具において、取付け部が、把手に対して回転可能に取付けられている場合、清掃体の少なくとも一部を取付け部に取付けたまま取付け部を回転させるだけで清掃体を裏返すことができる。
【発明の効果】
【００１６】
本発明に係る掃除具は、清掃体使用後に容易に清掃体の未使用面を使用できる状態にすることができる。
【発明を実施するための最良の形態】
【００１７】
以下、本発明の実施の形態について図面を参照しながら説明し、本発明の理解に供する。図１は、本発明を適用した掃除具において不織布シートを裏返す様子の一例を示す概略図である。
図１（ａ）に示すように、本発明を適用した掃除具１は、平板状の本体３と、本体３の略中央に取付けられた接続部９に着脱可能及び３６０°傾斜可能に取付けられた把手２と、本体３の一部を構成すると共に本体３に回転可能に取付けられた取付け部本体４と、取り付け部本体４の側面や本体３の上面に設けられた、スリットを形成する可撓性の複数の片部からなる取付け部５と、取付け部本体４を回転可能状態としたり固定状態にしたりする固定部６と、スリットに押し込まれて取付け部に取付けられた清掃体の一例である不織布シート７と、把手２が取付けられた面に対向する本体の面や取付け部本体４の両面に取付けられた発泡ウレタン等の弾性部材８によって構成されている。
【００１８】
掃除具１に取付けられた不織布シート７を、例えば床の清掃対象箇所に当接させてゴミを捕集した後、未使用面を使用するために不織布シート７を裏返す場合、図１（ｂ）に示すように、不織布シート７が取付けられていた４箇所の取付け部５のうち本体３の上面に設けられた取付け部５から、片面が使用されて片面に髪の毛や埃等のゴミ７Ａを捕集した不織布シート７を取外し、一方、取付け部本体４に設けられた取付け部５には不織布シート７を取付けたまま、固定部６を操作して取付け部本体４を回転可能状態として取付け部本体４を回転軸（図示せず。）を軸に回転させる。
【００１９】
図１（ｃ）に示すように、取付け部本体４の回転によって不織布シート７は裏返されて、未使用面が表に出てくる。この際、固定部６を操作して取付け部本体４を固定状態とする。そして図１（ｄ）に示されるように、取付け部５に取付けられていない不織布シート７の端部を、本体３の上面に設けられた取付け部５に取付ける。
【００２０】
ここで、取付け部が可動するものであれば、掃除具は、弾性部材や固定部を必ずしも備えていなくてもよく、また、必ずしも本体は平板形状を有していなくてもよく、また、把手は接続部に着脱不能に固定されていてもよい。また、清掃体としては、取付け部に取付けられるのであれば例えば、ゴミを捕集するものであったり、拭き取り専用のものであったり、つや出し専用のものであってもよく、また例えばフィルム状のものでもよい。
また、図１において取付け部５は、取付け部本体４の側面と本体３の上面に形成されているが、本発明の掃除具が取付け部を備えるのであれば、例えば取付け部本体４の側面と本体３の側面に取付け部５を形成することで、使用する不織布シートの大きさを低減できる。
【００２１】
取付け部の形態は、清掃体を確実に取付けることができるものであればどのようなものでもよいが、例えば、面ファスナーを備えたものや、フックを備えたものでもよい。
【００２２】
図２は、図１で示した掃除具の概略側面図である。取付け部が設けられた取付け部本体４は、回転軸１０を介して本体３に取付けられている。ここで、本体３の側面や取付け部本体４の側面は湾曲しており、湾曲した面に取付け部を形成することで、不織布シート等の清掃体を取付けやすくなるので好ましい。
【００２３】
図３は、取付け部本体が着脱自在なものである、本発明を適用した掃除具の概略図であり、（ａ）は取付け部本体４が本体３に取付けられた状態を示しており、（ｂ）は取付け部本体４が本体３から取外された状態を示している。取付け部本体４は、図３（ａ）に示すように、短辺と長辺を有する本体３の短辺部に取付け部本体４が取付けられたり、また、図３（ｂ）に示すように、短辺と長辺を有する本体３の長辺部に取付けられたりする。取付け部本体４には、雄型着脱接合部１１が取付けられており、本体３の対応する面に取付けられた雌型着脱接合部１１Ａ内に雄型着脱接合部１１の一部が挿入されて、取付け部本体４が本体３に着脱自在に取付けられるようになっている。ここで、取付け部本体が本体に着脱自在に取付けられるのであれば、必ずしもこのような態様でなくてもよく、例えば面ファスナーや磁気によって取付け部本体を本体に着脱自在に取付けてもよい。
【００２４】
図４は、取付け部本体が本体の側面に取付けられていると共に、本体の厚みよりも小さい厚みを有する、本発明を適用した掃除具の一態様を示す概略図であり、（ａ）は斜視図、（ｂ）は側面図である。図４に示された掃除具は、取付け部本体４の厚みが本体の厚みよりも小さいと共に、取付け部本体４の長さも本体の長さより短い点と、弾性部材が取付け部本体の表面に取付けられていない点で、図１に示された掃除具と異なる。
【００２５】
図５は、取付け部に支持部材が取付けられていると共に、支持部材が接続点を中心に移動可能に本体に接続されている、本発明を適用した掃除具の第１の態様を示す概略図であり、（ａ）は斜視図、（ｂ）はアームが外側へ拡がる様子をそれぞれ示す。図５に示された掃除具は、取付け部本体４が回転軸を介して本体３に取付けられるのではなく、２本の棒状のアーム１２それぞれの一端が１つの取付け部本体の左右それぞれの側面と接続されていると共に、それぞれの他端が本体３の、接続部９や固定部６が取付けられた面や取付け部本体４が配置された面に対して垂直な２つの面に接続されており、これによって取付け部本体４が、これらアーム１２の本体３に接続された端部を中心にして移動方向１３のように円弧状に対向する面に移動する点、及び取付け部本体４が配置される本体３の両側面にも取付け部が設けられている点で、図１の掃除具と異なる。ここで、アームは、支持部材の一例である。
また、図５（ｂ）に示されるように、取付け部本体４が、本体３の一方の側面から他方の側面へ移動する場合、固定部６を押して固定が解除され、本体３に接続された２本のアーム１２の端部が弾性力を利用して外側へと拡がる。不織布シートの裏返し方は、図１で示されたやり方と同じである。即ち、本体３の側面に取付けられていた不織布シートの一端を取外し、取付け部本体４の取付け部５に不織布シートの他端を取付けたまま、２本のアーム１２が外側へと拡がり、そしてアーム１２の本体３に接続された端部を中心にして移動方向１３のように円弧状に取付け部本体４を移動させ、どこにも取付けられていない不織布シートの端部を、取付け部本体４が配置されていた本体３の側面に設けられている取付け部５に取付けることで行なわれる。また、本発明の掃除具が取付け部５を備えていれば、取付け部５は、必ずしも本体の側面に設けられていなくてもよく、本体３の上面に設けられていてもよい。
【００２６】
図６は、取付け部に支持部材が取付けられていると共に、支持部材が接続点を中心に移動可能に本体に接続されている、本発明を適用した掃除具の第２の態様を示す概略図である。図６に示される掃除具は、アーム１２が１本でありＬ字状である点以外は図５に示された掃除具と同じである。ここで、本発明の掃除具が取付け部５を備えていれば、取付け部５は、必ずしも本体の側面に設けられていなくてもよく、本体３の上面に設けられていてもよい。
【００２７】
図７は、取付け部に支持部材が取付けられていると共に、支持部材が接続点を中心に移動可能に本体に接続されている、本発明を適用した掃除具の第３の態様を示す概略図である。図７に示された掃除具は、アーム１２に直接取付け部５が取付けられている点と、取付け部５が取付けられた２本のアーム１２がそれぞれ本体３の対向する側面に沿って配置されていると共に、２本のアーム１２それぞれの一端が本体３の、接続部９や固定部６が取付けられた面や取付け部が取付けられたアームが配置された面に対して垂直な２つの面に接続されてＬ字状になっている点と、本体３の両側面に取付け部が取付けられていない点以外は、図６の掃除具と同じである。
【００２８】
図８は、図７の掃除具の概略側面図（ａ）と、図７の掃除具のアームに取付けられた取付け部に不織布シートを取付けたまま２本のアームを移動させる概略図（ｂ）である。取付け部から不織布シートを取外さずに、取付け部に不織布シート７を取付けた状態で本体３の対向する側面に沿ってそれぞれ配置された２本のアーム１２を、本体３に接続された端部を中心にして移動方向１３のようにそれぞれ対向する面に移動させて、不織布シートを裏返す。この場合、２本のアームが交差できるよう互いの長さ及び外側への拡がりに差を設ける。このように図７に示された掃除具は、取付け部から不織布シートを取外さずに不織布シートを裏返すことができる。
【００２９】
図９は、取付け部に支持部材が取付けられていると共に、支持部材が接続点を中心に移動可能に本体に接続されている、本発明を適用した掃除具の第４の態様を示す概略図である。図９に示された掃除具は、アーム１２が１本でありＬ字状である点と、取付け部５が本体３の両側面に設けられている点（一方の側面に設けられた取付け部は図示せず。）以外は、図７に示された掃除具と同じである。ここで、本発明の掃除具が取付け部５を備えていれば、取付け部５は、必ずしも本体の側面に設けられていなくてもよく、本体３の上面に設けられていてもよい。なお、図７に示された掃除具では、不織布シートを裏返す場合、不織布シートの両端部を取付け部から取外さないが、図９に示された掃除具では、不織布シートの一方の端部を取付け部から取外す。
【００３０】
図１０は、取付け部に支持部材が取付けられていると共に、支持部材が接続点を中心に移動可能に本体に接続されている、本発明を適用した掃除具の第５の態様を示す概略図である。図１０に示された掃除具は、２本のアーム１２それぞれの、本体３に接続された端部が２箇所であり、アームそれぞれがＵ字状になっている点以外は、図７に示された掃除具と同じである。
【００３１】
図１１は、取付け部に支持部材が取付けられていると共に、支持部材が接続点を中心に移動可能に本体に接続されている、本発明を適用した掃除具の第６の態様を示す概略図である。図１１に示された掃除具は、アーム１２の、本体３に接続された端部が２箇所でありアームがＵ字状である点以外は、図９に示された掃除具と同じである。ここで、本発明の掃除具が取付け部５を備えていれば、取付け部５は、必ずしも本体の側面に設けられていなくてもよく、本体３の上面に設けられていてもよい。
【００３２】
図１２は、取付け部に支持部材が取付けられていると共に、支持部材が接続点を中心に移動可能に本体に接続されている、本発明を適用した掃除具の第７の態様を示す概略図である。図１２に示された掃除具は、２本のアーム１２それぞれの一端が本体３の同じ面に接続されている点以外は、図７に示された掃除具と同じである。ここで、２本のアームが交差できるよう互いの長さ及び外側への拡がりに差を設ける。
【００３３】
図１３は、取付け部に支持部材が取付けられていると共に、支持部材が接続点を中心に移動可能に本体に接続されている、本発明を適用した掃除具の第８の態様を示す概略図である。図１３に示された掃除具は、２本のアーム１２が互いに異なる高さの位置に配置されている点、並びに本体３の側面に段差が形成されている点以外は、図７に示された掃除具と同じである。
【００３４】
図１４は、取付け部に支持部材が取付けられていると共に、支持部材が接続点を中心に移動可能に本体に接続されている、本発明を適用した掃除具の第９の態様を示す概略図である。図１４に示された掃除具は、アーム１２が１本であると共に、取付け部５が本体３の両側面に設けられている点（一方の側面に設けられた取付け部は図示せず。）以外は、図１３に示された掃除具と同じである。ここで、本発明の掃除具が取付け部５を備えていれば、取付け部５は、必ずしも本体の側面に設けられていなくてもよく、本体３の上面に設けられていてもよい。なお、図１３に示された掃除具では、不織布シートを裏返す場合、不織布シートの両端部を取付け部から取外さないが、図１４に示された掃除具では、不織布シートの一方の端部を取付け部から取外す。
【００３５】
図１５は、取付け部に支持部材が取付けられていると共に、支持部材が接続点を中心に移動可能に本体に接続されている、本発明を適用した掃除具の第１０の態様を示す概略図であり、（ａ）は斜視図、（ｂ）は側面図である。図１５に示された掃除具は、２本のアーム１２それぞれの、本体３に接続された端部が２箇所であり、アームそれぞれがＵ字状になっている点以外は、図１３に示された掃除具と同じである。
【００３６】
図１６は、取付け部に支持部材が取付けられていると共に、支持部材が接続点を中心に移動可能に本体に接続されている、本発明を適用した掃除具の第１１の態様を示す概略図である。図１６に示された掃除具は、１本のアーム１２が本体の下段側面に接続されていると共に、取付け部５が本体３の両側面に設けられている点以外は、図１５に示された掃除具と同じである。ここで、本発明の掃除具が取付け部５を備えていれば、取付け部５は、必ずしも本体の側面に設けられていなくてもよく、本体３の上面に設けられていてもよい。なお、図１５に示された掃除具では、不織布シートを裏返す場合、不織布シートの両端部を取付け部から取外さないが、図１６に示された掃除具では、不織布シートの一方の端部を取付け部から取外す。
【００３７】
図１７は、取付け部に支持部材が取付けられていると共に、支持部材が接続点を中心に移動可能に本体に接続されている、本発明を適用した掃除具の第１２の態様を示す概略図である。図１７に示された掃除具は、２本のアーム１２それぞれの一端が本体３の同じ側面に上下に分かれて接続されている点以外は、図１３に示された掃除具と同じである。
【００３８】
図１８は、取付け部に支持部材が取付けられていると共に、支持部材が接続点を中心に移動可能に本体に接続されている、本発明を適用した掃除具の第１３の態様を示す概略図である。図１８に示された掃除具は、取付け部５が取付けられた１本のアーム１２が本体３の上面に配置されている点と、本体の上面の四隅に取付け部５が取付けられている（アームに取付けられた取付け部と重なっているので図示せず。）点以外は、図９に示された掃除具と同じである。ここで、取付け部に支持部材が取付けられていると共に、支持部材が接続点を中心に回転可能に本体に接続されていれば、必ずしも１本のＬ字状のアームでなくてもよく、２本のＬ字状のアーム、１本のＵ字状のアーム、または２本のＵ字状のアームが取付けられていてもよい。
【００３９】
図１９は、取付け部に支持部材が取付けられていると共に、支持部材が接続点を中心に移動可能に本体に接続されている、本発明を適用した掃除具の第１４の態様を示す概略図であり、（ａ）はアームが本体の上面に対して略垂直に立っている状態、（ｂ）はアームが本体の上面上に置かれている状態である。取付け部５が取付けられたアーム１２は、本体３の上面に接続されており、本体の上面上で接続点を中心に移動する。本体３の上面にはその四隅に取付け部５が形成されている。
【００４０】
図２０は、取付け部が、本体の一方の側面及び他方の側面に取付けられていると共に、本体の一方の側面に取付けられた取付け部と他方の側面に取付けられた取付け部とが接続されている、本発明を適用した掃除具の一実施態様を示す概略図である。図２０において、本体３の側面には段差が形成されており、また、取付け部５は本体３の側面に合致する四角形状のフレーム１４に取付けられており、取付け部５には、フレーム１４ごと裏返された、内側にゴミ７Ａが付いた不織布シート７が取付けられ、そして固定部６はフック形状を有してフレーム１４の一部を引っ掛けるようになっている。ここで、本体の一方の側面に取付けられた取付け部と他方の側面に取付けられた取付け部とが接続されているのであれば、フレーム１４の形状は、必ずしも四角形状でなくてもよく、例えばＵ字形状であってもよい。
【００４１】
図２１は、レールが本体側面に取付けられた、本発明を適用した掃除具の一実施態様を示す概略図である。図２１において、本体３の両側面は内側に湾曲していると共に、両側面に沿って側面の上部と下部とにレール１５が取付けられ、レール１５に沿って、取付け部５が形成された板状の取付け部本体４が本体３の両側面に配置される。また、本体３の上面の四隅にも取付け部５が形成されている。不織布シート７を裏返す場合には、取付け部５に不織布シート７を取付けたまま、板状の取付け部本体４を一方の側面に取付けられたレール１５から抜き取り、不織布シート７の使用済み面が内側（未使用面が外側）を向くよう板状の取付け部本体４を反転させて元のレール１５に差し込むか、または、取付け部５に不織布シート７を取付けたまま、板状の取付け部本体４を一方の側面に取付けられたレール１５から抜き取り、不織布シート７の使用済み面が内側を向くように板状の取付け部本体４を他方の側面に取付けられたレール１５に差し込む。
【００４２】
図２２は、本体の上面に取付け部がレールによって滑走可能に取付けられた、本発明を適用した掃除具の一実施態様を示す概略図である。図２２において、本体３の上面に２本のレール１５が取付けられており、それぞれのレール１５に取付け部５が１つずつ起倒できるように取付けられている。これにより、取付け部５を起立させて取付け部５がレール１５に沿って滑走可能であり、不織布シートを裏返す場合には、不織布シートを取付け部５に取付けたまま、レール１５に取付けられた各取付け部５を互いに反対方向に動かす。
【００４３】
図２３は、本体の上面に、上下に移動可能であると共に回転可能に取付け部が取付けられた、本発明を適用した掃除具の一実施態様を示す概略図であり、（ａ）は斜視図、（ｂ）は取付け部が上昇した様子を示す概略側面図、そして（ｃ）は、取付け部本体の左右両端が９０°に折れ曲がった様子を示す概略側面図である。図２３において、本体３の上面には取付け部５が直接取付けられていると共に、本体３の上面に、支柱１６によって上下に移動可能かつ回転可能に取付けられた取付け部本体４の両端に取付け部５が形成されている。不織布シートを裏返す場合には、取付け部５に不織布シートを取付けたまま、取付け部本体４を上昇させ、そして本体に対して略平行な面で回転させる。回転させる際、柄を倒すか、取外すか、または図２３（ｃ）に示すように取付け部本体４の両端を折り曲げる。
【００４４】
図２４は、把手に取付け部本体が回転可能に取付けられた、本発明を適用した掃除具の一実施態様を示す概略図であり、（ａ）は把手が取外された状態の斜視図、（ｂ）は取付け部本体が把手を境にして本体の一方の側に位置した状態の側面図、そして（ｃ）は取付け部本体が把手を境にして本体の他方の側に位置した状態の側面図である。図２４において、取付け部５が取付けられた取付け部本体４は、把手２に対して回転可能に取付けられていると共に、本体３の上面の四隅には取付け部５が取付けられている。
使用してゴミ等を捕集した不織布シート７を裏返す場合、本体３の上面に取付けられた取付け部５から不織布シート７を取外し、一方、取付け部本体４の取付け部５に不織布シート７を取付けたまま、把手を軸に、取付け部本体４を本体３に対して略平行な面で回転させて本体の他方の側へ移動させると共に、本体３に対して略垂直な面で回転させる。
【００４５】
図２５は、本体の上面に、上下に移動可能であると共に回転可能に取付け部が取付けられた、本発明を適用した掃除具の他の実施態様を示す概略図であり、（ａ）は斜視図、（ｂ）は取付け部が上方へ移動した様子を示す概略斜視図、そして（ｃ）は不織布シートを裏返して未使用面を表にした状態で本体に取付けられた様子を示す概略斜視図である。図２５において、本体３の上面には取付け部５が直接取付けられていると共に、本体３の上面に、支柱１６によって上下に移動可能かつ回転可能に取付けられた取付け部本体４の両端に取付け部５が形成されている。支柱１６を起倒することで、取付け部本体４は上下に移動し、回転軸１６Ａを軸に取付け部本体４は本体３に対して略垂直な面で回転する。不織布シートを裏返す場合には、取付け部５に不織布シートを取付けたまま、取付け部本体４を上方へ移動させ、そして取付け部本体４を本体３に対して略垂直な面で回転させる。
【００４６】
このように、本発明を適用した掃除具は、清掃体が取付けられる取付け部が可動するので、取付け部から清掃体をわざわざ完全に取外さなくても、清掃体を全く取外さずに、または一方の側だけ取外して、清掃体を裏返すことができ、よって、清掃体使用後に容易に清掃体の未使用面を使用できる状態にすることができる。
【図面の簡単な説明】
【００４７】
【図１】本発明を適用した掃除具において不織布シートを裏返す様子の一例を示す概略図である。
【図２】図１で示した掃除具の概略側面図である。
【図３】取付け部本体が着脱自在なものである、本発明を適用した掃除具の概略図である。
【図４】取付け部本体が本体の側面に取付けられていると共に、本体の厚みよりも小さい厚みを有する、本発明を適用した掃除具の一態様を示す概略図である。
【図５】取付け部に支持部材が取付けられていると共に、支持部材が接続点を中心に移動可能に本体に接続されている、本発明を適用した掃除具の第１の態様を示す概略図である。
【図６】取付け部に支持部材が取付けられていると共に、支持部材が接続点を中心に移動可能に本体に接続されている、本発明を適用した掃除具の第２の態様を示す概略図である。
【図７】取付け部に支持部材が取付けられていると共に、支持部材が接続点を中心に移動可能に本体に接続されている、本発明を適用した掃除具の第３の態様を示す概略図である。
【図８】図７の掃除具の概略側面図（ａ）と、図７の掃除具のアームに取付けられた取付け部に不織布シートを取付けたまま２本のアームを移動させる概略図（ｂ）である。
【図９】取付け部に支持部材が取付けられていると共に、支持部材が接続点を中心に移動可能に本体に接続されている、本発明を適用した掃除具の第４の態様を示す概略図である。
【図１０】取付け部に支持部材が取付けられていると共に、支持部材が接続点を中心に移動可能に本体に接続されている、本発明を適用した掃除具の第５の態様を示す概略図である。
【図１１】取付け部に支持部材が取付けられていると共に、支持部材が接続点を中心に移動可能に本体に接続されている、本発明を適用した掃除具の第６の態様を示す概略図である。
【図１２】取付け部に支持部材が取付けられていると共に、支持部材が接続点を中心に移動可能に本体に接続されている、本発明を適用した掃除具の第７の態様を示す概略図である。
【図１３】取付け部に支持部材が取付けられていると共に、支持部材が接続点を中心に移動可能に本体に接続されている、本発明を適用した掃除具の第８の態様を示す概略図である。
【図１４】取付け部に支持部材が取付けられていると共に、支持部材が接続点を中心に移動可能に本体に接続されている、本発明を適用した掃除具の第９の態様を示す概略図である。
【図１５】取付け部に支持部材が取付けられていると共に、支持部材が接続点を中心に移動可能に本体に接続されている、本発明を適用した掃除具の第１０の態様を示す概略図である。
【図１６】取付け部に支持部材が取付けられていると共に、支持部材が接続点を中心に移動可能に本体に接続されている、本発明を適用した掃除具の第１１の態様を示す概略図である。
【図１７】取付け部に支持部材が取付けられていると共に、支持部材が接続点を中心に移動可能に本体に接続されている、本発明を適用した掃除具の第１２の態様を示す概略図である。
【図１８】取付け部に支持部材が取付けられていると共に、支持部材が接続点を中心に移動可能に本体に接続されている、本発明を適用した掃除具の第１３の態様を示す概略図である。
【図１９】取付け部に支持部材が取付けられていると共に、支持部材が接続点を中心に移動可能に本体に接続されている、本発明を適用した掃除具の第１４の態様を示す概略図である。
【図２０】取付け部が、本体の一方の側面及び他方の側面に取付けられていると共に、本体の一方の側面に取付けられた取付け部と他方の側面に取付けられた取付け部とが接続されている、本発明を適用した掃除具の一実施態様を示す概略図である。
【図２１】レールが本体側面に取付けられた、本発明を適用した掃除具の一実施態様を示す概略図である。
【図２２】本体の上面に取付け部がレールによって滑走可能に取付けられた、本発明を適用した掃除具の一実施態様を示す概略図である。
【図２３】本体の上面に、上下に移動可能であると共に回転可能に取付け部が取付けられた、本発明を適用した掃除具の一実施態様を示す概略図である。
【図２４】把手に取付け部本体が回転可能に取付けられた、本発明を適用した掃除具の一実施態様を示す概略図である。
【図２５】本体の上面に、上下に移動可能であると共に回転可能に取付け部が取付けられた、本発明を適用した掃除具の他の実施態様を示す概略図である。
【図２６】従来の掃除具の概略図である。
【符号の説明】
【００４８】
１    掃除具
２    把手
３    本体
４    取付け部本体
５    取付け部
６    固定部
７    不織布シート
７Ａ  ゴミ
８    弾性部材
９    接続部
１０    回転軸
１１    雄型着脱接合部
１１Ａ  雌型着脱接合部
１２    アーム
１３    移動方向
１４    フレーム
１５    レール
１６    支柱
１６Ａ  回転軸
【図１】
2007105160.tif 000003
【図２】
2007105160.tif 000004
【図３】
2007105160.tif 000005
【図４】
2007105160.tif 000006
【図５】
2007105160.tif 000007
【図６】
2007105160.tif 000008
【図７】
2007105160.tif 000009
【図８】
2007105160.tif 000010
【図９】
2007105160.tif 000011
【図１０】
2007105160.tif 000012
【図１１】
2007105160.tif 000013
【図１２】
2007105160.tif 000014
【図１３】
2007105160.tif 000015
【図１４】
2007105160.tif 000016
【図１５】
2007105160.tif 000017
【図１６】
2007105160.tif 000018
【図１７】
2007105160.tif 000019
【図１８】
2007105160.tif 000020
【図１９】
2007105160.tif 000021
【図２０】
2007105160.tif 000022
【図２１】
2007105160.tif 000023
【図２２】
2007105160.tif 000024
【図２３】
2007105160.tif 000025
【図２４】
2007105160.tif 000026
【図２５】
2007105160.tif 000027
【図２６】
2007105160.tif 000028